(57)【要約】      （修正有）【課題】トランプゲームにおいてカードをゆっくりめくり、確認、判断をする行為と同等の効果が得られ、ゲームの面白味を達成できるカードゲーム装置を提供する。【解決手段】本体１と複数の操作手段２とによってなり、本体はテーブル１０を具え、テーブル上にコンピュータによって動作を制御してカードを取る、カードを検知に供する、カードを見せる、カードを置く動作を行うロボットアーム１１と、カードゲームで使用するカードを収納するカード収納部１２と、検知手段を下方に具える検知口１３と、ロボットアームが配ったカードを置く２つのカードホルダー１４，１５と、カードを回収する回収口１６を備える。操作手段は、本体のコンピュータに電気的に接続するタッチパネルモニター２２を設けてなり、かつタッチパネルモニターの画面にカードめくり窓を表示し、カードめくり窓にカードの背面を表示し、カードの背面の画像をドラッグして表面が表示されるように構成する。【選択図】図１
0003191521.tif 000002
【実用新案登録請求の範囲】
【請求項１】
本体と複数の操作手段とによってなるカードゲーム機であって、該本体はテーブルを具え、該テーブル上にコンピュータによって動作を制御してカードを取る、カードを検知に供する、カードを見せる、カードを置く動作を行うロボットアームと、カードゲームで使用するカードを収納するカード収納部と、検知手段を下方に具える検知口と、該ロボットアームが配ったカードを置く２つのカードホルダーと、カードを回収する回収口を設け、
該操作手段は、該本体のコンピュータに電気的に接続するタッチパネルモニターを設けてなり、かつ該タッチパネルモニターの画面にカードめくり窓を表示し、該カードめくり窓にカードの背面を表示し、カードの背面の画像をドラッグすることで、ドラッグする方向に沿って該カードの絵柄、点数が表示されるように構成することを特徴とするカードゲーム機。
【請求項２】
前記タッチパネルモニターに表示するカードの背面が縦方向か、もしくは横方向に表示されることを特徴とする請求項１に記載のカードゲーム機。
【考案の詳細な説明】
【技術分野】
【０００１】
この考案は遊技機に関し、特にトランプなどのカードを配りカードゲームを進行させるカードゲーム機に関する。
【背景技術】
【０００２】
カード、特にトランプを利用した遊戯は数多くの種類があり、代表的なものとして、例えば七並べ、２１、セブンブリッジ、ブラックジャックなどが挙げられる。中でも２１は多くの人に好まれている。
【０００３】
２１の基本的なルールは、先ずすべてのゲーム参加者に少なくとも２枚以上のカードを配り、カードの数を加算して勝ち負けを決定する。このため、２１を行う場合は、親が配る２枚のカードの内１枚を裏向きにする。これに基づき競技者は裏向きに伏せたカードをゆっくりめくり確認することができ、ここにゲームの面白味が湧く。
【０００４】
上述するトランプゲームの２１について、機械によってカードを配るゲーム機が開発されている。但し、該ゲーム機によってトランプゲームの２１を行う場合、参加者に配るカードの絵柄と点数が直接表示される。即ち、勝ち負けがカードを配ると同時に、即刻分かってしまい、競技者がカードをゆっくりめくりながら、判断を行う機会がない。このためゲームの面白味が完全になくなる。
【０００５】
しかも、上述する従来のゲーム機は、カードの点数の表示される時間が極めて短い。表示されると、即シャッフルに移行する。さらには、カードを配る行為の公平性すら疑われ、甚だしくは争いが起きる。
【０００６】
そこで、これら欠点を改善すべく、業界で改良がなされた。台湾実用新案登録第０９７２０５４８９号は、トランプゲームにおいてカードをゆっくりめくり、予測、判断を行うことのできるカードゲーム装置を提供するものであって、該カードゲーム装置はテーブルを有し、該テーブルに光透過性の材質によって窓を形成し、カメラを該窓内に設ける。該カメラは、使用者の視聴に供するモニターに電気的接続する。
【０００７】
上述するカードゲーム装置は、カード移動手段を具え、該カード移動手段によって、カードを開ける前に該窓上に移動させてカードの移動を撮影し、画像をモニターに転送する。よって、使用者は予めカードの絵柄と点数を確認することができ、ここにおいて、カードをゆっくりめくって判断することと同等の効果が発生する。
【０００８】
然しながら、カードの移動をモニターに表示する時間が短く、使用者はカードを操作することができない。よって、カードをゆっくりめくる楽しみ、面白味を謳いながらも、実際には効果が不十分である。よって、何らカードゲームの面白味を何ら感じることはなく、しかもゲームの公平性すら疑われることになりかねない。
【先行技術文献】
【特許文献】
【０００９】
台湾実用新案登録第０９７２０５４８９号公報
【考案の概要】
【考案が解決しようとする課題】
【００１０】
この考案は、トランプなどのカードを用いて行うカードゲーム、トランプゲームを行う際のカードをゆっくりめくり、確認、判断をする行為と同等の効果が得られ、ゲームの面白味を達成することのできるカードゲーム装置を提供することを課題とする。
【課題を解決するための手段】
【００１１】
そこで、本考案者は、従来のカードゲーム機に見られる欠点に鑑み鋭意研究を重ねた結果、本体と複数の操作手段とによってなり、該本体はテーブルを具え、該テーブル上にコンピュータによって動作を制御してカードを取る、カードを検知に供する、カードを見せる、カードを置く動作を行うロボットアームと、カードゲームで使用するカードを収納するカード収納部と、検知手段を下方に具える検知口と、該ロボットアームが配ったカードを置く２つのカードホルダーと、カードを回収する回収口を設け、該操作手段は、該本体のコンピュータに電気的に接続するタッチパネルモニターを設けてなり、かつ該タッチパネルモニターの画面にカードめくり窓を表示し、該カードめくり窓にカードの背面を表示し、カードの背面の画像をドラッグすることで、ドラッグする方向に沿って該カードの絵柄、点数が表示され、カードゲームにおいてカードをゆっくりめくりつつ絵柄、点数を確認しつつ判断する動作と同等の面白味を達成できるように構成したカードゲーム機によって課題を解決できる点に着眼し、係る知見に基づいて本考案を完成させた。以下この考案について説明する。
【００１２】
請求項１に記載するカードゲーム機は、本体と複数の操作手段とによってなるカードゲーム機であって、該本体はテーブルを具え、該テーブル上にコンピュータによって動作を制御してカードを取る、カードを検知に供する、カードを見せる、カードを置く動作を行うロボットアームと、カードゲームで使用するカードを収納するカード収納部と、検知手段を下方に具える検知口と、該ロボットアームが配ったカードを置く２つのカードホルダーと、カードを回収する回収口を設け、
該操作手段は、該本体のコンピュータに電気的に接続するタッチパネルモニターを設けてなり、かつ該タッチパネルモニターの画面にカードめくり窓を表示し、該カードめくり窓にカードの背面を表示し、カードの背面の画像をドラッグすることで、ドラッグする方向に沿って該カードの絵柄、点数が表示されるように構成する。
【００１３】
請求項２に記載するカードゲーム機は、請求項１におけるタッチパネルモニターに表示するカードの背面が縦方向か、もしくは横方向に表示される。
【図面の簡単な説明】
【００１４】
【図１】この考案によるカードゲーム機の外観を示した斜視図である。
【図２】この考案におけるロボットアームのカードを取出す動作とタッチパネルモニターの画面を示した説明図である。
【図３】この考案におけるロボットアームが１枚目のカードを配る動作を終了した状態とタッチパネルモニターの画面を示した説明図である。
【図４】この考案におけるロボットアームが２枚目のカードを検査口に移動させた状態とタッチパネルモニターの画面を示した説明図である。
【図５】この考案におけるタッチパネルモニター上で画像上をドラッグしてカードをめくる動作を示した説明図である。
【図６】この考案におけるタッチパネルモニター上で画像上をドラッグしてカードをめくる動作を示した他の説明図である。
【図７】この考案におけるロボットアームが２枚目のカードを配る動作を終了した状態とタッチパネルモニターの画面を示した説明図である。
【図８】この考案におけるロボットアームのカードを回収する動作とタッチパネルモニターの画面を示した説明図である。
【図９】この考案におけるタッチパネルモニター上で画像上をドラッグしてカードをめくる動作を示した説明図であって、かつ他の表示方式を示した説明図である。
【図１０】この考案におけるタッチパネルモニター上で画像上をドラッグしてカードをめくる動作を示した説明図であって、かつその他の表示方式を示した説明図である。
【考案を実施するための形態】
【００１５】
この考案は、トランプなどのカードを用いて行うカードゲーム、トランプゲームを行う際のカードをゆっくりめくり、確認、判断をする行為と同等の効果が得られ、ゲームの面白味を達成することのできるカードゲーム装置を提供するものであって、本体と複数の操作手段とによってなり、該本体はテーブルを具え、該テーブル上にコンピュータによって動作を制御してカードを取る、カードを検知に供する、カードを見せる、カードを置く動作を行うロボットアームと、カードゲームで使用するカードを収納するカード収納部と、検知手段を下方に具える検知口と、該ロボットアームが配ったカードを置く２つのカードホルダーと、カードを回収する回収口を設け、該操作手段は、該本体のコンピュータに電気的に接続するタッチパネルモニターを設けてなり、かつ該タッチパネルモニターの画面にカードめくり窓を表示し、該カードめくり窓にカードの背面を表示し、カードの背面の画像をドラッグすることで、ドラッグする方向に沿って該カードの絵柄、点数が表示され、カードゲームにおいてカードをゆっくりめくりつつ絵柄、点数を確認しつつ判断する動作と同等の面白味を達成できるように構成してなる。係るカードゲーム機の構造と特徴を詳述するために、具体的な実施例を挙げ、図面を参照にして以下に詳述する。
【実施例】
【００１６】
図１に開示するように、この考案によるカードゲーム装置は、本体１と複数の操作手段２とによってなる。
【００１７】
図２、図３に開示するように、本体１はテーブル１０を具え、テーブル１０上にロボットアーム１１と、カード収納部１２と、検知口１３と、２つのカードホルダー１４、１５と、回収口１６とを設ける。
【００１８】
ロボットアーム１１はコンピュータプログラムで動作を制御し、カードを取る、カードを検査する、カードを見せる、カードを置く、カードを回収する、などのカードゲームにおいて行われる動作を実行する。    
【００１９】
また、ロボットアーム１１の前端部には、カード取出し手段１７を設ける。カード取出し手段１７は、シリンダ１７１の一端に吸盤１７２と、２つのカード挟持手段１７３、１７４とを設けてなり、ロボットアーム１１の作動に伴い、通風管（図示しない）を介して加圧した空気を吸盤１７２に送るか、もしくは排出して、吸盤１７２にカードの背面を吸着させるか、もしくは吸着を開放して、カードを取る、もしくはカードを置く動作を実行する。
【００２０】
また、２本の通風管（図示しない）を介してシリンダ１７１に加圧した空気を順に送り、シリンダ軸を伸縮させてカード挟持手段１７３、１７４を作動し、挟持、もしくは挟持を開放する動作を行い、カードを取る、もしくはカードを置く動作を実行することができる。
【００２１】
カード収納部１２は、カードのサイズに合わせて作成した筐体であって、シャッフルしたすべてのカード３を収納する。カード収納部１２のロボットアーム１１側の一端にはカード出口を形成する。カード取り出し手段１７は、吸盤１７２によって該カード出口から、全てのカード３を１枚ずつ吸引して取り出すことができる。カード３の種類と点数は、予めコンピュータシステム（図示しない）に保存しておく。該コンピュータシステムはテーブル１０の下方に設ける。
【００２２】
検知口１３は、テーブル１０のカード収納部１２に近接した位置に形成する。また、検知口１３の下方に検知手段（図示しない）を設けてロボットアーム１１がカード収納部１２から取り出したカード３Ａ、３Ｂの絵柄、点数を検知し、検知した情報を操作手段２に伝送する。
【００２３】
また、テーブル１０の前端にはカードホルダー１４、１５を並べて設け、カードゲームにおける親と子に配り、かつ絵柄、点数を検知したカードをカードホルダー１４、１５にそれぞれ支持する。この場合、カードの絵柄の面を上にする。よって、操作手段２の前に位置するカードゲームの競技者がカードホルダー１４、１５に支持されたカードの絵柄と点数を視認することができ、カードゲームにおけるカードを見せる動作を行うことができる。
【００２４】
また、回収口１６は、テーブル１０のカード収納部１２を設ける一端に対向する他端に形成し、上述するカードを見せる動作を行った後のカード３Ａ、３Ｂをロボットアーム１１の前端に設けたカード挟持手段１７３、１７４で挟持して回収口１６に投入してカードの回収を行う。
【００２５】
操作手段２は、ベース２１上にタッチパネルモニター２２を設けてなる。タッチパネルモニター２２は、本体１に設けたコンピュータシステム（図示しない）と、検知口１３の下方に設けた該検知手段とに電気的に接続し、該検知手段の検知したカード３の絵柄と点数に係る情報を受信して表示する。
【００２６】
また、図４に開示するように、ロボットアーム１１がカードホルダー１４、１５のそれぞれに１枚目のカード３Ａを置いてカードを配る動作を終了し、次いで２枚目のカード３Ｂを検知口１３上に置いてカードの絵柄と点数を検知する際に、コンピュータプログラムの制御によって、タッチパネルモニター２２の画面に別途カードめくり窓２２１を表示する。
【００２７】
カードめくり窓２２１には、図５、６に開示するように、カード３Ｂの背面を表示する。カードめくり窓２２１のカード３Ｂの背面の画像の任意の箇所、もしくは任意の角をドラッグすると、指が移動する方向と速度にしたがってカードの絵柄と点数が徐々に表示される。よって、カードゲームにおいてカードをゆっくりめくり、確認、判断を行う動作と同等の効果、面白味が得られる。この場合に利用するコンピュータ制御方法と検知方法は従来の技術によるものであるため、詳細な説明を割愛する。
【００２８】
また、タッチパネルモニター２２には、カードゲームに関する各種コマンドを入力するためのオブジェクト等を表示し、タッチ、タップ等の操作に供する。よって、これら表示されたオブジェクト等を選択して指で操作し、データをコンピュータシステムに保存してゲームの勝ち負け等の判定の依拠とする。
【００２９】
図１から図８に開示するように、この考案によるカードゲーム機を使用する場合は、操作手段２のタッチパネルモニター２２の画面に表示される各種コマンドに係るオブジェクト等を選択してタッチ、タップ等の操作を行うと、本体１のロボットアーム１１がカード収納部１２に向かって作動する。
【００３０】
ロボットアーム１１が所定の位置に至ると、カード取り出し手段１７の吸盤１７２に加圧した空気が送られて、図２に開示するようにカード収納部１２に収納したカードの内、１枚目のカード３Ａが吸引され、取出される。
【００３１】
次いで、ロボットアーム１１１が検知口１３に向かって作動し、カード３Ａを裏向きにして検知口１３上に置き、検知手段によってカード３Ａの絵柄と点数を検知する。検知が終了すると、検知した結果がタッチパネルモニター２２に伝送される。
【００３２】
次いで、ロボットアーム１１のカード取出し手段１７がカードを見せる動作を行う。即ち、カード挟持手段１７３、１７４がカード３Ａを挟持し、一定の角度だけ回転してカード３Ａの絵柄の面を前にして、カードを見せる動作を終了させる。さらに、カード３Ａをカードホルダー１４において、カードを配る動作を終了させる。
【００３３】
次いで、図３に開示するように、上述と同様の動作を行い、他のカードホルダー１５にカードを置いておいて、カードを配る動作を終了する。
【００３４】
次に、図４に開示するように、ロボットアーム１１がカード収納部１２の外側に移動し、カードホルダー１４、１５に対して２枚目のカード３Ｂを配る動作を行う。即ち、カード取出し手段１７の吸盤１７２がカード３Ｂを吸引してカード収納部１２から取り出し、カードを裏向きにして検知口１３上に置き、絵柄と点数を検知する。検知の結果はコンピュータシステムによってタッチパネルモニター２２に表示される。
【００３５】
図５、６に開示するように、タッチパネルモニター２２には、別途カードめくり窓２２１が表示され、かつカードめくり窓２２１にカードの背面が表示される。ここにおいて、該カードの背面の任意の位置、もしくは任意の角に指でタッチし、他の方向、もしくは他の角に向かってドラッグすると、該カードがドラッグする方向に沿ってめくられ、カードめくり窓２２１に絵柄と点数が徐々に表示される。
【００３６】
仮に、上述するドラッグを行わなかった場合、所定の時間が経過すると、カードめくり窓２２１において自動的にカードがめくられる。したがって、カードゲームにおいてカードをゆっくりめくり確認する動作と同等の効果が得られる。
【００３７】
上述するカードめくりの動作が終了すると、カードの絵柄と点数がタッチパネルモニター２２の画面に表示される。また、ロボットアーム１１のカード挟持手段１７３、１７４は、上述するように継続してカードを見せる、カードを置く動作を行う。
【００３８】
図７に開示するようにカードホルダー１４、１５のいずれにも２枚目のカード３Ｂを置く動作が終了すると、コンピュータシステムは競技者の選択したゲームコマンドにしたがって勝ち負けを判定する。
【００３９】
次いで、図８に開示するように、ロボットアーム１１のカード挟持手段１７３、１７４は、カードホルダー１４、１５に置かれたカード３Ａ、３Ｂを挟持して回収口１６に投入し、テーブル１０の内部下方に落とす。
【００４０】
さらに、ロボットアーム１１が本来の位置に復帰し、タッチパネルモニター２２の表示は、コマンドメニューを選択する状態に戻る。
【００４１】
この考案によるカードゲーム機は、操作手段２にタッチパネル方式の操作を可能にするタッチパネルモニター２２を設け、ロボットアーム１１がカードホルダー１４、１５に置く、即ち配る２枚目以後のカード３Ｂを検知口１３上に置いて、コンピュータシステムによって絵柄と点数を検知してタッチパネルモニター２２に検知の結果を伝送し、タッチパネルモニター２２には別途カードめくり窓２２１を表示し、カード３Ｂの背面を表示する。該カードの背面を画面上でドラッグすると、ドラッグする方向に沿ってカード３Ｂの絵柄と点数が徐々に表示され、即ちカードがめくられる。よって、カードゲームにおいてカードをめくりながら判断する面白味と同等の効果が得られ、同時にカードゲームの公平性と信用性を高めることができる。
【００４２】
図９、１０に開示するように、タッチパネルモニター２２に表示するカードめくり窓２２１には、カード３Ｂを縦にして表示する以外に横にして表示してもよく、同様にドラッグする。但し、この場合は上方向にドラッグして、徐々にカードをめくる。係る横にしたカードの画像でも同様にゆっくりカードをめくりつつ、確認、判断を行う面白味を達成することができる。
【００４３】
この考案においては、ロボットアーム１１を利用してカードを配り、タッチパネルモニター２２で伏せたカードをゆっくりめくりつつ確認、判断を行うことができることを特徴とし、考案の基本的な構成要素とする。よって、当業者のないし得る修正、もしくは変更などであって、この考案の精神の下においてなされ、この考案の基本的な構成要素を応用し、この考案に対して均等の効果を有するものは、いずれもこの考案の実用新案登録請求の範囲に属するものとする。
【符号の説明】
【００４４】
１            本体
１０   テーブル
１１   ロボットアーム
１２   カード収納部
１３   検知口
１４   カードホルダー
１５   カードホルダー
１６   回収口
１７   カード取出し手段
１７１ シリンダ
１７２ 吸盤
１７３ カード挟持手段
１７４ カード挟持手段
２            操作手段
２１   ベース
２２   タッチパネルモニター
２２１ カードめくり窓
３            カード
３Ａ   カード
３Ｂ   カード 
【図１】
0003191521.tif 000003
【図２】
0003191521.tif 000004
【図３】
0003191521.tif 000005
【図４】
0003191521.tif 000006
【図５】
0003191521.tif 000007
【図６】
0003191521.tif 000008
【図７】
0003191521.tif 000009
【図８】
0003191521.tif 000010
【図９】
0003191521.tif 000011
【図１０】
0003191521.tif 000012